(57)【特許請求の範囲】
【請求項１】
高圧送電路の途中に回転接触子を回転自在に設け、同回転接触子を外部操作で回動させる回動手段を備え、回動手段によって回転接触子を回転させて高圧送電路を水平２点切できるようにした高圧送電用回転断路器に於いて、
回転接触子を上部に且つ回動手段を下部に取付けた垂直の絶縁体の回転主軸の下端に支持軸を設け、同支持軸を支持ベースに取付けた筒状の回転台座の中央孔に貫入し、貫入した支持軸の下端外周にねじ部を設け、回転台座の中央孔の下部孔壁に筒体をその上部外周で螺着して取付け、同筒体の内側上部に支持軸を軸支するスラストベアリングを取付け、筒体内の下部に配置したベアリングを介して係止用ナットを支持軸の下端に螺着し、筒体の下端に上記ベアリングと係止用ナットを収納するようにキャップを螺着したことを特徴とする高圧送電用回転断路器。
【発明の詳細な説明】
【０００１】
【発明の属する技術分野】
本発明は、６６ＫＶ等の高圧電力を送電する変電所等で送電路の開閉を手動操作で行えるようにする為に設けられている高圧送電用回転断路器（通常ＬＳと称されている）の回転接触子の回転支持構造の技術であって、その回転支持構造の分解点検が回転断路器全体を分解せずに容易且つ迅速に行え、又活線状態でも分解点検できるようにした技術に関する。
【０００２】
【従来の技術】
従来の高圧送電用回転断路器の回転支持構造は図４に示すように、回転接触子を上方で水平に取付けた回転主軸２０の下部に操作アーム取付部２７を介して支持軸２８を垂設し、同支持軸を地上から２．５ｍ程の高さの支持ベース２２に取付けた回転台座２３に貫通させるとともに、同回転台座の上方にスラストベアリング２１を、又回転台座の下方にベアリング２４，ナット２５を支持軸２８に取付け、キャップ２６をベアリング２４，ナット２５を収納するように回転台座２３の下端外周に螺着する構造となっている。
この高圧送電用回転断路器は、スラストベアリング２１，ベアリング２４等の傷・錆等で正常な動作に支障をきたすことがあるため、数年に１回程の割合で定期的に、この回転支持構造部分の分解点検がなされている。
従来の回転支持構造のものでは、この定期分解点検するため、２．５ｍ程の支持ベース２２から回転主軸２０を回転台座２３から引き上げる必要があり、そのため支持ベース２２上にウインチを用いた簡易クレーンを設置しなくてはならなかった。分解点検作業は支持軸２８，回転主軸２０を回転台座２３からの引き抜きを行って、スラストベアリング２１，ベアリング２４，ナット２５，キャップ２６を取り外して点検している。
この作業は高所作業で回転子も動かすため危険であり、送電を停止させて行う、そのため移動用電力ケーブルによる仮工事を必要とし、又簡易クレーンの設置と足場高所作業となるので作業時間がかかるとともに落下事故を起す危険な作業となっていた。又これらの理由で作業コストも高いものとなっていた。
【０００３】
【発明が解決しようとする課題】
本発明が解決しようとする課題は、従来のこれらの問題点を解消し、簡易クレーン足場を必要とせずに地上から容易に分解点検でき、又その作業が安全で且つ短時間で迅速に行え、しかも送電停止させず活線状態で分解点検できる構造の高圧送電用回転断路器を提供することにある。
【０００４】
【課題を解決するための手段】
かかる課題を解決した本発明の構成は、
１）  高圧送電路の途中に回転接触子を回転自在に設け、同回転接触子を外部操作で回動させる回動手段を備え、回動手段によって回転接触子を回転させて高圧送電路を水平２点切できるようにした高圧送電用回転断路器に於いて、
回転接触子を上部に且つ回動手段を下部に取付けた垂直の絶縁体の回転主軸の下端に支持軸を設け、同支持軸を支持ベースに取付けた筒状の回転台座の中央孔に貫入し、貫入した支持軸の下端外周にねじ部を設け、回転台座の中央孔の下部孔壁に筒体をその上部外周で螺着して取付け、同筒体の内側上部に支持軸を軸支するスラストベアリングを取付け、筒体内の下部に配置したベアリングを介して係止用ナットを支持軸の下端に螺着し、筒体の下端に上記ベアリングと係止用ナットを収納するようにキャップを螺着したことを特徴とする高圧送電用回転断路器にある。
【０００５】
【発明の実施の形態】
本発明の高圧送電用回転断路器の回転支持構造は、雨水及び洗滌用ジェット水に対して防水構造となるようにする。パッキンを設けるか、又は浸水しても少量にして浸水した水分を排水する小穴を設け、空気呼吸ができる構造にするのがよい。
又、キャップ・ナット・ベアリングを取り外して分解したときに、回転主軸が回転台座に安定して立っているように、その回転台座と回転主軸の差し込み長さを確保するようにする。
【０００６】
【実施例】
以下、本発明の実施例を図面に基づいて説明する。
図１は、実施例の高圧送電用回転断路器全体を示す説明図である。
図２は、実施例の要部の回転支持構造を示す縦断面図である。
図３は、実施例の要部の回転支持構造を示す分解斜視図である。
【０００７】
図中、１は回転接触子、１ａは同回転接触子の両端の可動接触子部、１ｂは両端の可動接触子部を支持し且つ通電する中継導体、２は回転接触子１中央を上端で取付けた回転主軸、２ａは電気絶縁性の主軸本体、２ｂは主軸本体２ａの下部に取付けた絶縁体の碍子の支持軸、２ｃは同主軸本体２ａと支持軸２ｂとを連結するボルト、２ｄは支持軸２ｂの上部の開閉操作アーム２ｅの取付部、２ｅは回転主軸１を回動させて送電路の開閉操作を行う回転支持軸２ｂの上部に取付けられた操作アームであって、紐が左右のアーム先端にそれぞれ取付けられ、紐の操作で回転主軸１を回転させる。２ｆは回転支持軸２ｂの下端の縮径部のねじ部、４は回転支持軸２ｂを貫通させて支持する筒状の回転台座、４ａは中央孔、４ｂは同回転台座のスラストベアリング５の収容空間、４ｃは収容空間４ｂの内壁に設けたねじ部、５はスラストベアリング、６は筒体、６ａは同筒体のスラストベアリング５の嵌入空間、６ｂは筒体６の上部外周ねじ部、６ｃは筒体６の下部外周ねじ部、７はベアリング、８は係止用ナット、８ａは同係止用ナットの止めピン、９は筒体６の下部と螺着させるキャップ、１０は２ｍ程の高さに構築される断面コ字状のチャンネル材を使用した支持ベースである。１１は可動接触子部１ａと接触する送電路と接続された固定接触子、１２は同固定接触子を支持する絶縁体の碍子である。
【０００８】
この実施例では、図１に示すように、回転接触子１は回転主軸２の上端に取付けられ、導電体である可動接触部１ａと中継導体１ｂとを接続して形成されている。図２，３に示すように、回転主軸２の下端にボルト２ｃによって支持軸２ｂが連結されて一体化され、支持ベース１０上に取付けられた回転台座４の中央孔４ａに挿入され、同回転台座の下方の収容空間４ｂにスラストベアリング５を挿入し、その下方から筒体６をスラストベアリング５をその上方の嵌入空間６ａに嵌入するようにし、筒体６の上部外周ねじ部６ｂを回転台座４の下方のねじ部４ｃと螺合して、スラストベアリング５を保持する。
更に支持軸２ｂのその下方にベアリング７を挿入し、係止用ナット８を支持軸２ｂのねじ部２ｆに螺合し、止めピン８ａで固定する。その後キャップ９を支持軸２ｂの下部・ベアリング７・ナット８を覆うように挿入し、筒体６の下部外周ねじ部６ｃと螺着して回転主軸２の回転支持構造部分を水密状に保持している。このように、回転主軸２は回転自在に取付けられる。送電路の開閉は操作アーム２ｅの各両端につけた紐（図示せず）のいずれかを水平方向に引張することで、回転主軸２を回転させ、回転接触子１を水平に回転させることで行なわれる。次に、実施例の高圧送電用回転断路器の回転支持部分（支持軸２ｂのスラストベアリング５，ベアリング７，回転台座４内側）の点検・補修するときは、２．５ｍ程にある支持ベース１０の下方の地面の踏台にのって作業員が立って、キャップ９，止めピン８ａ，係止用ナット８，ベアリング７，筒体６，スラストベアリング５の順に取り外す。この作業は高所作業でないので足場・簡易クレーンを必要とせず、地面から手を伸ばして又は低い踏台の上にのって行える作業である。
又、その分解作業中、回転主軸２の支持軸２ｂは回転台座４の中央孔４ａに深く差し込まれたままであるので回転主軸２は倒れることもなく、又回転台座４から引き上げて抜く必要もなく、点検が必要なスラストベアリング５，ベアリング７を取り出して手元において精密に点検できる。又、回転台座４の下方空間を下方から点検・補修できる。従って、送電路は活線状態でも安全に点検・補修できる。
又、点検・補修後の取付けは、分解の逆の手順で行えば迅速且つ容易に行える。
【０００９】
【発明の効果】
以上の様に、本発明によれば、スラストベアリング，ベアリングを回転台座の下方に配置する構造としたことによって、高圧送電用回転断路器の回転支持部分の点検・補修が、足場・簡易クレーンを用いることなく地上から容易且つ迅速に行え、しかも回転接触子の回転主軸を回転台座から引き抜くことなく、回転台座に挿入状態のまま点検・補修できるので安全で且つ活線の状態で点検できるものとした。
【図面の簡単な説明】
【図１】実施例の高圧送電用回転断路器全体を示す説明図である。
【図２】実施例の要部の回転支持構造を示す縦断面図である。
【図３】実施例の要部の回転支持構造を示す分解斜視図である。
【図４】従来の高圧送電用回転断路器の回転支持構造を示す分解斜視図である。
【符号の説明】
１  回転接触子
１ａ  可動接触部
１ｂ  中継導体
２  回転主軸
２ａ  主軸本体
２ｂ  支持軸
２ｃ  カップリング
２ｄ  取付部
２ｅ  操作アーム
２ｆ  ねじ部
４  回転台座
４ａ  中央孔
４ｂ  収容空間
４ｃ  ねじ部
５  スラストベアリング
６  筒体
６ａ  嵌入空間
６ｂ  上部外周ねじ部
６ｃ  下部外周ねじ部
７  ベアリング
８  係止用ナット
８ａ  止めピン
９  キャップ
１０  支持ベース
１１  固定接触子
１２  碍子
【図１】
0004152569.tif 000002
【図２】
0004152569.tif 000003
【図３】
0004152569.tif 000004
【図４】
0004152569.tif 000005